(57)【要約】【課題】撮影対象の患者に応じて、放射線撮影の撮影オーダに適切な技術レベルの撮影者を割り当てることが可能な撮影者割り当て装置、撮影者割り当て方法、並びに撮影者割り当てプログラムを提供する。【解決手段】ＲＩＳ１２のＣＰＵ４４は、受付部６０および決定部６１として機能する。受付部６０は、放射線撮影を撮影者Ａ〜Ｃに指示するための撮影オーダ２０、患者が標準的な放射線撮影が可能か否かを判断するための診療情報２５ａ、および撮影者Ａ〜Ｃの放射線撮影の技術レベルを示す技術レベル情報３０ａを受け付ける。決定部６１は、受付部６０で受け付けた診療情報２５ａおよび技術レベル情報３０ａに基づき、受付部６０で受け付けた撮影オーダ２０に割り当てる撮影者を撮影者Ａ〜Ｃの中から決定する。【選択図】図７
2015171481.tif 000002
【特許請求の範囲】
【請求項１】
放射線撮影を撮影者に指示するための撮影オーダ、前記撮影オーダで指定された、撮影対象の患者の診療情報、および前記撮影者の前記放射線撮影の技術レベルを示す技術レベル情報を受け付ける受付部と、
前記受付部で受け付けた前記診療情報および前記技術レベル情報に基づき、前記受付部で受け付けた前記撮影オーダに割り当てる撮影者を決定する決定部とを備えることを特徴とする撮影者割り当て装置。
【請求項２】
前記診療情報は、前記患者が標準的な放射線撮影が可能か否かを判断するための情報であり、
前記決定部は、前記診療情報に基づき、前記患者が前記標準的な放射線撮影が可能か否かを判断することを特徴とする請求項１に記載の撮影者割り当て装置。
【請求項３】
前記決定部は、前記標準的な放射線撮影が不可と判断した場合、前記技術レベルが最も高い撮影者を前記撮影オーダに割り当てることを特徴とする請求項２に記載の撮影者割り当て装置。
【請求項４】
前記決定部は、前記標準的な放射線撮影が不可と判断した場合、前記技術レベルが最も低い撮影者を前記撮影オーダに割り当てることを特徴とする請求項２に記載の撮影者割り当て装置。
【請求項５】
前記決定部で前記撮影オーダに割り当てる撮影者を決定する際の条件を設定する条件設定部を備えることを特徴とする請求項２ないし４のいずれか１項に記載の撮影者割り当て装置。
【請求項６】
前記条件設定部は、前記決定部で前記標準的な放射線撮影が不可と判断した場合、前記技術レベルが最も高い撮影者を前記撮影オーダに割り当てる第１条件と、
前記決定部で前記標準的な放射線撮影が不可と判断した場合、前記技術レベルが最も低い撮影者を前記撮影オーダに割り当てる第２条件とを切り替えることを特徴とする請求項５に記載の撮影者割り当て装置。
【請求項７】
前記診療情報は、前記患者が通常のポジショニングをとれる状態か否か、妊娠しているか否か、乳幼児であるか否か、および累積被曝線量のうちの少なくとも１つを含み、
前記決定部は、前記患者が通常のポジショニングをとれない場合、妊娠している場合、乳幼児である場合、および前記累積被曝線量が予め設定された許容量に近い場合のうちの少なくとも１つの場合に、前記標準的な放射線撮影が不可と判断することを特徴とする請求項２ないし６のいずれか１項に記載の撮影者割り当て装置。
【請求項８】
前記技術レベル情報は、標準的ではない放射線撮影の実施回数を含み、
前記決定部は、前記実施回数の多寡により、前記技術レベルの高低を判断することを特徴とする請求項３ないし７のいずれか１項に記載の撮影者割り当て装置。
【請求項９】
前記標準的ではない放射線撮影の実施回数は、通常のポジショニングがとれない状態の前記患者を前記放射線撮影した回数、妊娠している前記患者を前記放射線撮影した回数、乳幼児の前記患者を前記放射線撮影した回数、累積被曝線量が許容量に近い前記患者を前記放射線撮影した回数のうちの少なくとも１つを含むことを特徴とする請求項８に記載の撮影者割り当て装置。
【請求項１０】
放射線撮影を撮影者に指示するための撮影オーダ、前記撮影オーダで指定された、撮影対象の患者の診療情報、および前記撮影者の前記放射線撮影の技術レベルを示す技術レベル情報を受付部で受け付ける受付ステップと、
前記受付ステップで受け付けた前記診療情報および前記技術レベル情報に基づき、前記受付ステップで受け付けた前記撮影オーダに割り当てる撮影者を決定部で決定する決定ステップとを備えることを特徴とする撮影者割り当て方法。
【請求項１１】
放射線撮影を撮影者に指示するための撮影オーダ、前記撮影オーダで指定された、撮影対象の患者の診療情報、および前記撮影者の前記放射線撮影の技術レベルを示す技術レベル情報を受け付ける受付機能と、
前記受付機能で受け付けた前記診療情報および前記技術レベル情報に基づき、前記受付機能で受け付けた前記撮影オーダに割り当てる撮影者を決定する決定機能とを、コンピュータに実行させるための撮影者割り当てプログラム。
【発明の詳細な説明】
【技術分野】
【０００１】
本発明は、放射線撮影を撮影者に指示するための撮影オーダに撮影者を割り当てる撮影者割り当て装置、撮影者割り当て方法、並びに撮影者割り当てプログラムに関する。
【背景技術】
【０００２】
近年、病院情報システム（ＨＩＳ；Hospital Information System）や放射線情報システム（ＲＩＳ；Radiology Information System）、医療画像保管通信システム（ＰＡＣＳ；Picture Archiving and Communication System）等で構成される医療情報ネットワークシステムを医療施設内に構築し、この医療情報ネットワークシステム上で患者情報や会計情報、あるいは放射線（例えばＸ線）を利用した放射線撮影に関する情報を電子的に遣り取りすることが行われている。
【０００３】
放射線撮影に関する情報には、放射線撮影を医師や放射線技師等の撮影者に指示するための撮影オーダ、放射線撮影により得られた放射線画像がある。撮影オーダは、診療科の医師により診療科の端末から発行され、電子カルテを管理するＨＩＳ経由でＲＩＳに送信される。ＲＩＳは、診療科の端末から受信した撮影オーダを、放射線科に設置された端末や撮影者が所有する携帯情報端末に送信する。放射線科の端末や携帯情報端末は、送信された撮影オーダを表示部に表示させる。撮影者は、表示部に表示された撮影オーダを確認し、確認した撮影オーダに応じた撮影条件を放射線撮影装置に設定して放射線撮影を行う。これにより得られた放射線画像は、放射線撮影装置からＰＡＣＳに送信されて保管される。
【０００４】
医療情報ネットワークシステムを導入するような比較的規模が大きい医療施設には、撮影者が複数在籍している。撮影者が複数在籍している場合は、撮影オーダに各撮影者を割り当てる必要がある。そこで、特許文献１には、各撮影者を撮影オーダに自動的に割り当てる技術が提案されている。
【０００５】
特許文献１では、医療施設内を移動可能な複数台の移動型放射線撮影装置による放射線撮影を効率よく行うために、移動型放射線撮影装置の待機場所、撮影対象の患者がいる診療科名、移動型放射線撮影装置を使用する撮影者等の移動型放射線撮影装置の属性情報に基づき、撮影オーダに割り当てる移動型放射線撮影装置を決定している。
【先行技術文献】
【特許文献】
【０００６】
【特許文献１】特開２００４−０４１６９８号公報
【発明の概要】
【発明が解決しようとする課題】
【０００７】
ところで、放射線撮影では、撮影対象の患者によって標準的な撮影ができない場合がある。例えば、骨折等の怪我で四肢を伸ばせない、または逆に関節を曲げられない、あるいは寝たきりで立位姿勢をとれない等、患者が通常のポジショニングをとれない場合である。また、妊婦あるいは乳幼児、または累積被曝線量が予め設定された許容量に近い患者の場合である。患者が通常のポジショニングをとれない場合は、診断の際に注目する部位を画角に収めるために患者のポジショニングを工夫する必要があり、妊婦あるいは乳幼児、または累積被曝線量が許容量に近い患者の場合は、低い被曝線量でかつ良好な画質の放射線画像を得るために撮影条件の設定に細かな配慮がいる。
【０００８】
こうした標準的ではない放射線撮影の撮影オーダは、放射線撮影の作業効率の向上や患者のストレス軽減という観点からすれば、患者のポジショニングや撮影条件の設定等、放射線撮影において撮影者が行う作業の熟練度の高さである技術レベルが高い撮影者を割り当てることが好ましい。一方で、技術レベルの向上という観点からすれば、技術レベルが低い撮影者を割り当てることが好ましい。このように、撮影対象の患者に応じて、撮影オーダに適切な技術レベルの撮影者を割り当てたいという要望がある。
【０００９】
しかしながら、特許文献１には、撮影者の技術レベルを考慮して撮影オーダに撮影者を割り当てることは記載されておらず、撮影対象の患者に応じて、撮影オーダに適切な技術レベルの撮影者を割り当てたいという要望に応えることができない。
【００１０】
本発明は、上記課題に鑑みてなされたもので、撮影対象の患者に応じて、放射線撮影の撮影オーダに適切な技術レベルの撮影者を割り当てることが可能な撮影者割り当て装置、撮影者割り当て方法、並びに撮影者割り当てプログラムを提供することを目的とする。
【課題を解決するための手段】
【００１１】
上記目的を達成するために、本発明の撮影者割り当て装置は、放射線撮影を撮影者に指示するための撮影オーダ、撮影オーダで指定された、撮影対象の患者の診療情報、および撮影者の放射線撮影の技術レベルを示す技術レベル情報を受け付ける受付部と、受付部で受け付けた診療情報および技術レベル情報に基づき、受付部で受け付けた撮影オーダに割り当てる撮影者を決定する決定部とを備えている。
【００１２】
診療情報は、患者が標準的な放射線撮影が可能か否かを判断するための情報であり、決定部は、診療情報に基づき、患者が標準的な放射線撮影が可能か否かを判断することが好ましい。決定部は、標準的な放射線撮影が不可と判断した場合、例えば、技術レベルが最も高い撮影者を撮影オーダに割り当てる。反対に、技術レベルが最も低い撮影者を撮影オーダに割り当ててもよい。
【００１３】
決定部で撮影オーダに割り当てる撮影者を決定する際の条件を設定する条件設定部を備えていてもよい。条件設定部は、例えば、決定部で標準的な放射線撮影が不可と判断した場合、技術レベルが最も高い撮影者を撮影オーダに割り当てる第１条件と、決定部で標準的な放射線撮影が不可と判断した場合、技術レベルが最も低い撮影者を撮影オーダに割り当てる第２条件とを切り替える。
【００１４】
診療情報は、例えば、患者が通常のポジショニングをとれる状態か否か、妊娠しているか否か、乳幼児であるか否か、および患者の累積被曝線量のうちの少なくとも１つを含む。決定部は、患者が通常のポジショニングをとれない場合、妊娠している場合、乳幼児である場合、および累積被曝線量が予め設定された許容量に近い場合のうちの少なくとも１つの場合に、標準的な放射線撮影が不可と判断することが好ましい。
【００１５】
技術レベル情報は、例えば、標準的ではない放射線撮影の実施回数を含む。決定部は、実施回数の多寡により、技術レベルの高低を判断することが好ましい。標準的ではない放射線撮影の実施回数は、例えば、通常のポジショニングがとれない状態の患者を放射線撮影した回数、妊娠している患者を放射線撮影した回数、乳幼児の患者を放射線撮影した回数、累積被曝線量が許容量に近い患者を放射線撮影した回数のうちの少なくとも１つを含む。
【００１６】
本発明の撮影者割り当て方法は、放射線撮影を撮影者に指示するための撮影オーダ、撮影オーダで指定された、撮影対象の患者の診療情報、および撮影者の放射線撮影の技術レベルを示す技術レベル情報を受付部で受け付ける受付ステップと、受付ステップで受け付けた診療情報および技術レベル情報に基づき、受付ステップで受け付けた撮影オーダに割り当てる撮影者を決定部で決定する決定ステップとを備えている。
【００１７】
本発明の撮影者割り当てプログラムは、放射線撮影を撮影者に指示するための撮影オーダ、撮影オーダで指定された、撮影対象の患者の診療情報、および撮影者の放射線撮影の技術レベルを示す技術レベル情報を受け付ける受付機能と、受付機能で受け付けた診療情報および技術レベル情報に基づき、受付機能で受け付けた撮影オーダに割り当てる撮影者を決定する決定機能とを、コンピュータに実行させる。
【発明の効果】
【００１８】
本発明によれば、撮影対象の患者の診療情報、および撮影者の放射線撮影の技術レベルを示す技術レベル情報に基づき、撮影オーダに割り当てる撮影者を決定するので、撮影対象の患者に応じて、放射線撮影の撮影オーダに適切な技術レベルの撮影者を割り当てることが可能な撮影者割り当て装置、撮影者割り当て方法、並びに撮影者割り当てプログラムを提供することができる。
【図面の簡単な説明】
【００１９】
【図１】医療情報ネットワークシステムを示す図である。
【図２】撮影オーダの内容を示す図である。
【図３】オーダ管理リストを示す図である。
【図４】患者情報の内容を示す図である。
【図５】撮影者情報の内容を示す図である。
【図６】ＲＩＳを構成するコンピュータを示すブロック図である。
【図７】ＲＩＳを構成するコンピュータのＣＰＵの機能を示すブロック図である。
【図８】ＲＩＳを構成するコンピュータのＣＰＵの処理手順を示すフローチャートである。
【図９】標準的ではない放射線撮影の撮影オーダに、技術レベルが最も高い撮影者を割り当てる様子を示す図である。
【図１０】標準的ではない放射線撮影の撮影オーダに、技術レベルが最も低い撮影者を割り当てる第２実施形態を示す図である。
【図１１】標準的ではない放射線撮影の撮影オーダに、技術レベルが最も高い撮影者を割り当てる第１条件と、技術レベルが最も低い撮影者を割り当てる第２条件とを切り替える条件設定部を設けた第３実施形態を示す図である。
【図１２】ＲＩＳとは別に撮影者割り当て装置を設けた第４実施形態を示す図である。
【発明を実施するための形態】
【００２０】
[第１実施形態]
図１において、医療情報ネットワークシステム１０は、ＨＩＳ１１、ＲＩＳ１２、ＰＡＣＳ１３、放射線撮影装置１４、携帯情報端末１５、およびこれらを相互通信可能に接続するネットワーク１６等で構成される。ネットワーク１６は、例えば、医療施設内に敷設されたＬＡＮ（Local Area Network）や移動体通信ネットワークである。
【００２１】
医療施設には、放射線撮影装置１４を用いた放射線撮影の撮影者として、撮影者Ａ、撮影者Ｂ、撮影者Ｃの３人が在籍している。各撮影者Ａ〜Ｃは、医師や放射線技師等であり、携帯情報端末１５Ａ、１５Ｂ、１５Ｃをそれぞれ所有している。携帯情報端末１５Ａ〜１５Ｃは、例えば、携帯電話、スマートフォン、タブレット端末、ＰＤＡ（Personal Digital Assistant）、ノート型パソコン等の持ち運び可能な端末である。
【００２２】
ＨＩＳ１１は、電子カルテ、会計情報、検査予約情報、投薬処方情報等、医療施設の医療行為に関わる各種情報を、診療科、放射線科等の医療施設の各部門から受け付け、これを保管、管理する。検査予約情報は、診療科の医師により診療科の端末１７の電子カルテ上で発行される。検査予約情報は、血液検査、内視鏡検査等の種々の検査予約の他、放射線撮影の検査予約である、放射線撮影を撮影者Ａ〜Ｃに指示するための撮影オーダ２０を含む。ＲＩＳ１２は、診療科の端末１７からの撮影オーダ２０を受け付けてこれを保管、管理する。
【００２３】
ＨＩＳ１１には、患者情報２５が記憶されている。患者情報２５は電子カルテに登録されており、患者が標準的な放射線撮影が可能か否かを判断するための診療情報２５ａを含む。また、ＲＩＳ１２には、撮影者情報３０が記憶されている。撮影者情報３０は、撮影者Ａ〜Ｃの放射線撮影の技術レベルを示す技術レベル情報３０ａを含む。なお、技術レベルとは、患者のポジショニングや撮影条件の設定等、放射線撮影において撮影者が行う作業の熟練度の高さをいう。
【００２４】
ＲＩＳ１２は撮影者割り当て装置として機能する。すなわちＲＩＳ１２は、患者情報２５の診療情報２５ａおよび撮影者情報３０の技術レベル情報３０ａに基づき、撮影オーダ２０に割り当てる撮影者を撮影者Ａ〜Ｃの中から決定する。ＲＩＳ１２は、決定した撮影者が所有する携帯情報端末１５に撮影オーダ２０を含む決定結果６２（図７参照）を送信する。携帯情報端末１５は、ＲＩＳ１２からの決定結果６２を表示する表示部１８を有する。
【００２５】
医療施設には、複数の放射線撮影を並行して行うため、放射線撮影装置１４が複数台設置されている。放射線撮影装置１４は、周知のように、放射線（例えばＸ線）を発する放射線源と、放射線源から発せられて患者を透過した放射線を受けて放射線画像を検出する放射線画像検出装置とを有する。撮影者Ａ〜Ｃは、ＲＩＳ１２からの決定結果６２の撮影オーダ２０を表示部１８で確認し、これら複数台の放射線撮影装置１４のいずれか１台に対して、撮影オーダ２０に応じた撮影条件を設定して放射線撮影を行う。放射線撮影装置１４は、放射線撮影により得られた放射線画像をＰＡＣＳ１３に送信する。ＰＡＣＳ１３は、放射線撮影装置１４からの放射線画像を保管、管理する。放射線撮影の終了後、放射線画像は読影医により読影されて、この読影結果と放射線画像が診療科の端末１７を介して診療科の医師に供される。
【００２６】
図２において、撮影オーダ２０は、オーダＩＤ、医師ＩＤ、患者ＩＤ、および撮影部位の項目を有する。オーダＩＤは、個々の撮影オーダ２０を識別するための番号である。オーダＩＤは、診療科の端末１７から撮影オーダ２０を受け付けたときにＲＩＳ１２により自動的に付される。医師ＩＤは、撮影オーダ２０を発行した診療科の医師を識別するための番号である。患者ＩＤは、個々の患者を識別するための番号であり、患者の初診の際にＨＩＳ１１により自動的に付される。撮影オーダ２０に記される患者ＩＤは、当該撮影オーダ２０による放射線撮影の撮影対象の患者の患者ＩＤである。撮影部位は、診療科の医師によって指示された、放射線撮影で撮影する部位である。撮影部位には、頭部、頸椎、胸部、腹部、手、指、肘、膝といった人体の各部位と、正面、側面、斜位といった撮影方向が含まれる。撮影オーダ２０には、これらの項目の他に、ＲＩＳ１２で撮影オーダ２０を受け付けた日時や、術後の経過観察等の放射線撮影の目的、診療科の医師から撮影者への申し渡し事項等の項目が設けられている。
【００２７】
ＲＩＳ１２は、図３に示すオーダ管理リスト２３を作成して、受け付けた撮影オーダ２０を管理する。オーダ管理リスト２３は、撮影オーダ２０の各項目に加えて、放射線撮影を担当する撮影者の撮影者ＩＤ、進行状況等の項目を有する。進行状況には、当該撮影オーダ２０の放射線撮影が終了したことを示す撮影済み、放射線撮影を行っている最中であることを示す撮影中、放射線撮影を行っていないことを示す未撮影のいずれかが記される。ＲＩＳ１２は、携帯情報端末からの放射線撮影終了の合図等に応じて、進行状況の項目を更新する。
【００２８】
なお、撮影オーダ２０は、図示するように１人の患者に対して１つの場合もあれば、１人の患者に対して同時に複数発行される場合もある。１人の患者に対して同時に複数撮影オーダ２０が発行された場合は、ＲＩＳ１２は、オーダＩＤの後に識別符号を付ける等して複数の撮影オーダ２０を関連付ける。
【００２９】
図４において、患者情報２５は、患者ＩＤ、患者氏名、性別、生年月日といった患者の基本的な情報を表す項目と、患者が標準的な放射線撮影が可能か否かを判断するための診療情報２５ａの項目とを有する。診療情報２５ａの項目は、放射線撮影で通常のポジショニングがとれる状態か否かを示すポジショニング可否、妊娠しているか否かを示す妊娠、乳幼児であるか否かを示す乳幼児、および累積被曝線量である。
【００３０】
ポジショニング可否は、通常のポジショニングがとれる状態である場合はＯＫ、とれない状態である場合はＮＧと記される。妊娠は、性別が女性の場合のみに記され、妊娠している場合はＹＥＳ、妊娠していない場合はＮＯと記される。乳幼児は、生年月日から計算した現在の患者の年齢が、乳幼児の年齢範囲である生後４週以上７歳未満の場合はＹＥＳ、そうでない場合はＮＯと記される。累積被曝線量は、例えば、過去１年間で放射線撮影によりその患者が被曝した放射線の線量の累積値である。
【００３１】
通常のポジショニングとは、患者に対して普段行っているポジショニングである。通常のポジショニングがとれない状態とは、骨折等の怪我で四肢を伸ばせない、または逆に関節を曲げられない、あるいは寝たきりで立位姿勢をとれない等、患者に特殊な事情があり、通常のポジショニングから逸脱したポジショニングで放射線撮影を行わざるを得ない状態である。通常のポジショニングがとれない状態の患者の放射線撮影においては、患者のポジショニングに高い技術レベルが要求される。
【００３２】
また、妊娠している患者、乳幼児の患者、累積被曝線量が予め設定された許容量に近い（累積被曝線量が許容量よりも僅かに低い）患者の放射線撮影においては、撮影条件の設定に高い技術レベルが要求される。以下、こうした高い技術レベルが要求される放射線撮影を、標準的ではない放射線撮影と表現する。逆に、通常のポジショニングがとれない状態の患者、妊娠している患者、乳幼児の患者、累積被曝線量が予め設定された許容量に近い（累積被曝線量が許容量よりも僅かに低い）患者以外の放射線撮影は、標準的な放射線撮影に該当する。
【００３３】
なお、累積被曝線量の許容量は、例えば日本医学放射線学会といった放射線撮影の関連学会の推奨値が採用される。あるいは、医療施設で独自に許容量を設定してもよい。
【００３４】
図５において、撮影者情報３０は、撮影者ＩＤ、撮影者氏名、および技術レベル情報３０ａの項目を有する。技術レベル情報３０ａの項目は、標準的ではない放射線撮影の実施回数であり、通常のポジショニングがとれない状態の患者を放射線撮影した回数であるポジショニングＮＧ、妊娠している患者を放射線撮影した回数である妊娠ＹＥＳ、乳幼児の患者を放射線撮影した回数である乳幼児ＹＥＳ、累積被曝線量が許容量に近い患者を放射線撮影した回数である累積被曝線量≒許容量である。撮影者情報３０には、これらの項目の他に、携帯情報端末１５Ａ〜１５Ｃとの情報伝送に必要な携帯情報端末１５Ａ〜１５ＣのＩＰアドレスや、技術レベル情報３０ａとして撮影者の勤続年数、標準的な放射線撮影と標準的ではない放射線撮影を含む全ての放射線撮影の総実施回数等の項目が設けられている。
【００３５】
撮影者ＩＤは、個々の撮影者を識別するための番号である。撮影者ＩＤは、撮影者情報３０を登録する際にＲＩＳ１２により自動的に付される。医療施設には３人の撮影者Ａ〜Ｃが在籍しているので、撮影者情報３０にはこの３人の撮影者Ａ〜Ｃの情報が登録されている。因みに撮影者ＩＤ「Ｒ０００１」は撮影者Ａ、「Ｒ０００２」は撮影者Ｂ、「Ｒ０００３」は撮影者Ｃに該当する。
【００３６】
通常のポジショニングがとれない状態の患者、妊娠している患者の放射線撮影の実施回数は、撮影者Ａが最も多く、次いで撮影者Ｂが多い。撮影者Ｃは最も少ない。累積被曝線量が許容量に近い患者の放射線撮影の実施回数は、撮影者Ｂが最も多く、次いで撮影者Ａで、撮影者Ｃが最も少ない。乳幼児の患者の放射線撮影は、撮影者Ｃが最も多く、次いで撮影者Ｂで、撮影者Ａが最も少ない。標準的ではない放射線撮影の実施回数が多い撮影者は、少ない撮影者と比べて、当然ながら標準的ではない放射線撮影の経験が豊富であり、標準的ではない放射線撮影の技術レベルが高いといえる。例えば通常のポジショニングがとれない状態の患者、妊娠している患者の放射線撮影の技術レベルは、撮影者Ａが最も高く、次いで撮影者Ｂで、撮影者Ｃが最も低いといえる。
【００３７】
ＲＩＳ１２は、放射線撮影の終了後、撮影対象の患者が通常のポジショニングがとれない状態であった場合、妊娠していた場合、乳幼児であった場合、累積被曝線量が許容量に近かった場合のいずれかに該当した場合は、当該患者の放射線撮影を担当した撮影者の技術レベル情報３０ａのポジショニングＮＧ、妊娠ＹＥＳ、乳幼児ＹＥＳ、累積被曝線量≒許容量のいずれかの実施回数をインクリメントする。
【００３８】
図６において、ＲＩＳ１２を構成するコンピュータは、ディスプレイ４０、入力デバイス４１、ストレージデバイス４２、メモリ４３、ＣＰＵ（Central Processing Unit）４４、および通信Ｉ／Ｆ４５を備えている。これらはデータバス４６を介して相互接続されている。ディスプレイ４０は、マウスやキーボード等の入力デバイス４１の操作に応じた各種操作画面を表示する。操作画面にはＧＵＩ(Graphical User Interface)が配され、ＲＩＳ１２はこのＧＵＩを通じて入力デバイス４１からの操作指示の入力を受け付ける。
【００３９】
ストレージデバイス４２は、例えば、ＲＩＳ１２を構成するコンピュータに内蔵されたハードディスクドライブである。ストレージデバイス４２には、前述のオーダ管理リスト２３、撮影者情報３０といった各種情報、およびオペレーティングシステム等の制御プログラムや、撮影者割り当てプログラム５０を含む各種アプリケーションプログラムが記憶される。撮影者割り当てプログラム５０は、ＲＩＳ１２を構成するコンピュータを、撮影者割り当て装置として機能させるためのプログラムである。
【００４０】
メモリ４３は、ＣＰＵ４４が処理を実行するためのワークメモリである。ＣＰＵ４４は、ストレージデバイス４２に記憶されたプログラムをメモリ４３へロードして、プログラムにしたがった処理を実行することにより、コンピュータの各部を統括的に制御する。通信Ｉ／Ｆ４５は、ネットワーク１６を介した、外部装置との各種情報の伝送制御を行うネットワークインターフェースである。
【００４１】
図７において、ＣＰＵ４４は、撮影者割り当てプログラム５０を起動すると、メモリ４３と協働して、受付部６０および決定部６１として機能する。
【００４２】
受付部６０は、通信Ｉ／Ｆ４５で受信した診療科の端末１７からの撮影オーダ２０を受け付ける。ＲＩＳ１２は、通信Ｉ／Ｆ４５を介して、受付部６０で受け付けた撮影オーダ２０の患者ＩＤをキーにした、当該患者ＩＤの患者の診療情報２５ａの送信要求指令をＨＩＳ１１に送信する。ＨＩＳ１１は、送信要求指令に応じて、当該患者ＩＤの患者の診療情報２５ａをＲＩＳ１２に送信する。受付部６０は、通信Ｉ／Ｆ４５で受信したＨＩＳ１１からの診療情報２５ａを受け付ける。また、受付部６０は、ストレージデバイス４２から撮影者情報３０の技術レベル情報３０ａを読み出す。受付部６０は、これら撮影オーダ２０、診療情報２５ａ、および技術レベル情報３０ａを決定部６１に受け渡す。
【００４３】
決定部６１は、受付部６０からの診療情報２５ａおよび技術レベル情報３０ａに基づき、受付部６０で受け付けた撮影オーダ２０に割り当てる撮影者を撮影者Ａ〜Ｃの中から決定する。決定部６１は、診療情報２５ａに基づき、患者が標準的な放射線撮影が可能か否かを判断する。より具体的には、決定部６１は、診療情報２５ａのポジショニング可否の項目がＮＧである場合、妊娠の項目がＹＥＳである場合、乳幼児の項目がＹＥＳである場合、および累積被曝線量が許容量に近い場合に、標準的な放射線撮影が不可と判断する。決定部６１は、標準的な放射線撮影が不可と判断した場合、当該撮影オーダ２０に、技術レベルが最も高い撮影者を割り当てる。
【００４４】
決定部６１は、決定した撮影者の撮影者ＩＤとともに撮影オーダ２０をオーダ管理リスト２３に登録する。ＲＩＳ１２は、通信Ｉ／Ｆ４５を介して、決定した撮影者が所有する携帯情報端末１５に、当該撮影オーダ２０の担当が自分になったことを示す決定部６１の決定結果６２、より具体的にはオーダ管理リスト２３から抜き出した当該撮影オーダ２０の項目を送信する。
【００４５】
以下、上記構成による作用について、図８および図９を参照して説明する。まず、診療科の医師により、診療科の端末１７からＲＩＳ１２に撮影オーダ２０が発行される。ＲＩＳ１２では、通信Ｉ／Ｆ４５により撮影オーダ２０が受信される。図８のステップＳ１０に示すように、撮影オーダ２０は受付部６０で受け付けられ、さらにＨＩＳ１１から送信された診療情報２５ａ、およびストレージデバイス４２から読み出された技術レベル情報３０ａが受付部６０で受け付けられる。そして、ステップＳ１１に示すように、決定部６１により、診療情報２５ａおよび技術レベル情報３０ａに基づき、受付部６０で受け付けた撮影オーダ２０に割り当てる撮影者が撮影者Ａ〜Ｃの中から決定される。
【００４６】
より具体的には図９に示すように、診療情報２５ａのポジショニング可否の項目がＮＧである場合、技術レベル情報３０ａのポジショニングＮＧの回数が最も多く、通常のポジショニングがとれない状態の患者の放射線撮影の技術レベルが最も高い撮影者Ａが、撮影オーダ２０に割り当てる撮影者として決定される。診療情報２５ａの妊娠の項目がＹＥＳである場合も同様に、技術レベル情報３０ａの妊娠ＹＥＳの回数が最も多く、妊娠している患者の放射線撮影の技術レベルが最も高い撮影者Ａが、撮影オーダ２０に割り当てる撮影者として決定される。また、診療情報２５ａの累積被曝線量ＥＤが許容量ＥＤｐに近い場合（ＥＤ＜ＥＤｐでかつＥＤ≒ＥＤｐの場合）、技術レベル情報３０ａの累積被曝線量≒許容量の回数が最も多く、累積被曝線量が許容量に近い患者の放射線撮影の技術レベルが最も高い撮影者Ｂが、撮影オーダ２０に割り当てる撮影者として決定される。さらに、診療情報２５ａの乳幼児の項目がＹＥＳである場合、技術レベル情報３０ａの乳幼児ＹＥＳの回数が最も多く、乳幼児の患者の放射線撮影の技術レベルが最も高い撮影者Ｃが、撮影オーダ２０に割り当てる撮影者として決定される。
【００４７】
なお、診療情報２５ａのポジショニング可否の項目がＯＫ、かつ妊娠、乳幼児の項目がＮＯ、かつ累積被曝線量が許容量に近くない場合、すなわち患者が標準的な放射線撮影が可能な状態であった場合、決定部６１は、例えば前回の撮影オーダ２０に撮影者Ａを割り当てた場合は今回は撮影者Ｂ、次回は撮影者Ｃを割り当てる、あるいは、オーダ管理リスト２３の進行状況を参照して手が空いている撮影者を割り当てる、というように、撮影者の割り当てが偏らないように撮影者を決定する。
【００４８】
また、診療情報２５ａの２つ以上の項目で標準的な放射線撮影が不可と判断した場合、決定部６１は、各項目で実施回数が最も多い撮影者をピックアップし、さらにそのうちで実施回数が最も多い撮影者を、撮影オーダ２０に割り当てる撮影者として決定する。例えば、診療情報２５ａのポジショニング可否の項目がＮＧで、かつ累積被曝線量ＥＤが許容量ＥＤｐに近い場合、技術レベル情報３０ａのポジショニングＮＧの回数が最も多いのは撮影者Ａ、累積被曝線量≒許容量の回数が最も多いのは撮影者Ｂであるが、実施回数が２１回の撮影者Ｂよりも実施回数が２５回と撮影者Ａのほうが多いため、最終的に撮影オーダ２０に割り当てる撮影者を撮影者Ａと決定する。
【００４９】
さらに、各撮影者で標準的ではない放射線撮影の実施回数に差がない場合（実施回数が０の場合も含む）、決定部６１は、勤続年数や総実施回数等の他の技術レベル情報３０ａを参照して、標準的ではない放射線撮影の撮影オーダ２０に割り当てる撮影者を決定する。例えば、勤続年数が長ければ、それだけ技術レベルも高いという考え方に基づいて、実施回数に差がない複数の撮影者のうち、勤続年数が最も長い撮影者を、最終的に撮影オーダ２０に割り当てる撮影者として決定する。
【００５０】
撮影者の決定後、決定した撮影者が所有する携帯情報端末１５にＲＩＳ１２から、オーダ管理リスト２３から抜き出した当該撮影オーダ２０の項目が決定結果６２として送信される。より具体的には図９に示すように、診療情報２５ａのポジショニングの項目がＮＧである場合、および診療情報２５ａの妊娠の項目がＹＥＳである場合は、撮影者Ａの携帯情報端末１５Ａに、診療情報２５ａの累積被曝線量ＥＤが許容量ＥＤｐに近い場合は、撮影者Ｂの携帯情報端末１５Ｂに、診療情報２５ａの乳幼児の項目がＹＥＳである場合は、撮影者Ｃの携帯情報端末１５Ｃに、それぞれ決定結果６２が送信される。
【００５１】
携帯情報端末１５に送信された決定結果６２は、携帯情報端末１５の表示部１８に表示される。この表示部１８に表示された決定結果６２の撮影オーダ２０に応じた放射線撮影が、放射線撮影装置１４を用いて、決定部６１で決定した撮影者により行われる。放射線撮影で得られた放射線画像は、放射線撮影装置１４からＰＡＣＳ１３に送信されて保管される。
【００５２】
放射線撮影の終了後、当該放射線撮影が標準的ではない放射線撮影であった場合は、ＲＩＳ１２により、当該放射線撮影を担当した撮影者の技術レベル情報３０ａの実施回数がインクリメントされる。
【００５３】
標準的な放射線撮影が不可の場合に、標準的ではない放射線撮影の実施回数が最も多く技術レベルが最も高い撮影者を撮影オーダ２０に割り当てるので、放射線撮影をスムーズに遂行することができ、放射線撮影の作業効率を向上させることができる。標準的ではない放射線撮影は、標準的な放射線撮影と比べて患者の不安が増すものだが、技術レベルが高い撮影者であればその不安を和らげることができ、患者に掛かるストレスを軽減することができる。
【００５４】
なお、オーダ管理リスト２３から抜き出した当該撮影オーダ２０の項目の代わりに、オーダ管理リスト２３そのものを決定結果６２として送信してもよい。また、決定した撮影者が所有する携帯情報端末１５だけでなく、それ以外の全ての撮影者の携帯情報端末１５に決定結果６２を送信し、誰がどの撮影オーダ２０の放射線撮影を担当しているかを各撮影者が共有可能に構成してもよい。
【００５５】
［第２実施形態］
上記第１実施形態では、標準的な放射線撮影が不可の場合に、技術レベルが最も高い撮影者を撮影オーダ２０に割り当てる例を説明したが、そうすると標準的ではない放射線撮影を同じ撮影者が毎回担当することになり、技術レベルが低い撮影者の技術レベルの向上が見込めなくなってしまう。そこで、本実施形態では、上記第１実施形態とは逆に、標準的な放射線撮影が不可と判断した場合、撮影オーダ２０に、技術レベルの底上げを目的として敢えて技術レベルが最も低い撮影者を割り当てる。
【００５６】
具体的には図１０に示すように、決定部６１は、診療情報２５ａの乳幼児の項目がＹＥＳである場合、技術レベル情報３０ａの乳幼児ＹＥＳの回数が最も少なく、乳幼児の患者の放射線撮影の技術レベルが最も低い撮影者Ａを、撮影オーダ２０に割り当てる撮影者として決定する。また、決定部６１は、診療情報２５ａのポジショニング可否の項目がＮＧである場合、技術レベル情報３０ａのポジショニングＮＧの回数が最も少なく、通常のポジショニングがとれない状態の患者の放射線撮影の技術レベルが最も低い撮影者Ｃを、撮影オーダ２０に割り当てる撮影者として決定する。決定部６１は、妊娠の項目がＹＥＳである場合、または累積被曝線量ＥＤが許容量ＥＤｐに近い場合も同様に、技術レベル情報３０ａの妊娠ＹＥＳ、累積被曝線量≒許容量の回数が最も少なく、妊娠している患者、累積被曝線量が許容量に近い患者の放射線撮影の技術レベルが最も低い撮影者Ｃを、撮影オーダ２０に割り当てる撮影者として決定する。
【００５７】
本実施形態のように、標準的ではない放射線撮影の撮影オーダ２０に、技術レベルが最も低い撮影者を割り当てるようにすれば、技術レベルが最も低い撮影者に、積極的に標準的ではない放射線撮影の経験を積ませることができ、撮影者の技術レベルを底上げする効果がある。技術レベルが低いうちは、ポジショニングや撮影条件の設定に手間取ったり、患者を不安にさせたりすることがあるかもしれないが、経験を積んで技術レベルが向上すればそうしたことも少なくなるため、長い目で見れば医療施設にとっても患者にとってもプラスになる。
【００５８】
［第３実施形態］
上記第１、第２実施形態では、標準的ではない放射線撮影の撮影オーダ２０に、技術レベルが最も高い撮影者か、技術レベルが最も低い撮影者のいずれか一方を割り当てる例を挙げたが、いずれの場合も長所があった。そこで、本実施形態では、決定部６１で撮影オーダ２０に割り当てる撮影者を決定する際の条件として、技術レベルが最も高い撮影者を割り当てる第１条件と、技術レベルが最も低い撮影者を割り当てる第２条件とを設けて、これら各条件を切り替え可能とする。
【００５９】
図１１において、本実施形態のＲＩＳ７０を構成するコンピュータのＣＰＵ７１は、受付部６０、決定部６１に加えて、条件設定部７２として機能する。条件設定部７２は、第１、第２の各条件を切り替えるためのＧＵＩをディスプレイ４０の操作画面に表示させる。条件設定部７２は、各条件を切り替えるためのＧＵＩを通じて、入力デバイス４１からの条件切替の指示を受け付け、これに応じた条件切替指令を決定部６１に送信する。決定部６１は、条件設定部７２からの条件切替指令が第１条件を示す場合、上記第１実施形態のように、標準的ではない放射線撮影の撮影オーダ２０に、技術レベルが最も高い撮影者を割り当てる。一方、第２条件を示す場合は、上記第２実施形態のように、標準的ではない放射線撮影の撮影オーダ２０に、技術レベルが最も低い撮影者を割り当てる。
【００６０】
標準的ではない放射線撮影の撮影オーダ２０に、技術レベルが最も高い撮影者を割り当てると、放射線撮影の作業効率が上がり、患者のストレス軽減に寄与するという長所があり、標準的ではない放射線撮影の撮影オーダ２０に、技術レベルが最も低い撮影者を割り当てると、技術レベルの向上が見込めるという長所があるが、本実施形態のように、標準的ではない放射線撮影の撮影オーダ２０に、技術レベルが最も高い撮影者を割り当てる第１条件と、技術レベルが最も低い撮影者を割り当てる第２条件とを切り替え可能とすることで、それぞれの長所を活かすことができる。
【００６１】
放射線撮影の作業効率および患者のストレス軽減を重視する医療施設では第１条件を選択し、撮影者の技術レベルの向上を重視する医療施設では第２条件を選択する等、医療施設が目指す方向性によって条件を選択することができる。
【００６２】
なお、入力デバイス４１からの指示に応じて条件を手動で切り替える方法に加えて、あるいは代えて、自動的に条件を切り替えてもよい。例えば、標準的ではない放射線撮影の実施回数が最も多い撮影者と最も少ない撮影者とで、実施回数の差が予め設定された閾値以下の場合は、各撮影者の技術レベルの差はほとんどないと考えられるので、第１条件に自動的に切り替える。実施回数の差が閾値よりも大きい場合は、各撮影者の技術レベルに差があり、この差を埋めるために技術レベルの底上げが必要と考えられるので、第２条件に自動的に切り替える。
【００６３】
上記第１〜第３実施形態では、標準的ではない放射線撮影の撮影オーダ２０に、標準的ではない放射線撮影の実施回数が最も多い撮影者、または実施回数が最も少ない撮影者を割り当てているが、実施回数と予め設定された基準値とを比較し、実施回数が基準値よりも上、または基準値以下の撮影者を、標準的ではない放射線撮影の撮影オーダ２０に割り当ててもよい。
【００６４】
実施回数が基準値よりも上、または基準値以下の撮影者が複数いる場合は、その中から技術レベルが最も高い、または最も低いと考えられる１人の撮影者を選び出し、標準的ではない放射線撮影の撮影オーダ２０に割り当てる撮影者とする。
【００６５】
候補が複数いる場合に１人の撮影者を選び出す方法としては、上記第１実施形態において、各撮影者で標準的ではない放射線撮影の実施回数に差がない場合で説明したように、他の技術レベル情報３０ａ、例えば、勤続年数に応じて決定する。すなわち、複数の候補のうち、勤続年数が最も長い、または最も短い撮影者を１人の撮影者として選び出す。あるいは、複数の候補のうち、総実施回数が最も多い、または最も少ない撮影者を１人の撮影者として選び出してもよい。このように、標準的ではない放射線撮影の撮影オーダ２０に割り当てる撮影者を決定する条件としては、単純に実施回数の多寡で決定してもよいし、実施回数と他の技術レベル情報３０ａとを考慮して決定してもよい。
【００６６】
なお、撮影者の放射線撮影のスケジュールをオーダ管理リスト２３から取得し、決定部６１で決定した、標準的ではない放射線撮影の実施回数が最も多い、または最も少ない撮影者のスケジュールが混んでいて、このまま撮影オーダ２０に割り当ててもすぐに対応できない場合は、撮影オーダ２０に割り当てる撮影者を、標準的ではない放射線撮影の実施回数が次に多い撮影者、または次に少ない撮影者、あるいは実施回数に関係なくスケジュールが空いている撮影者に変えてもよい。このように、標準的ではない放射線撮影の撮影オーダ２０に割り当てる撮影者は、常に技術レベルが最も高い、または最も低い撮影者に限らず、現場の状況を鑑みて適宜変更することが可能である。
【００６７】
［第４実施形態］
上記第１〜第３実施形態では、ＲＩＳ１２に撮影者割り当て装置の機能を担わせているが、ＲＩＳとは別に撮影者割り当て装置を設けてもよい。
【００６８】
図１２において、撮影者割り当て装置８０は、ＲＩＳ８１とは別体で設けられている。撮影者割り当て装置８０には、上記第１〜第３実施形態のＲＩＳ１２の通信Ｉ／Ｆ４５と同様に、通信Ｉ／Ｆ８２が設けられている。また、撮影者割り当て装置８０のＣＰＵ８３は、上記第１〜第３実施形態のＲＩＳ１２のＣＰＵ４４と同じく、受付部６０および決定部６１として機能する。さらに、図示は省略するが、ＲＩＳ８１には、上記第１〜第３実施形態のＲＩＳ１２と同様に、撮影者情報３０を記憶するストレージデバイスが設けられている。
【００６９】
ＲＩＳ８１は、診療科の端末１７からの撮影オーダ２０を撮影者割り当て装置８０に転送する。また、ＲＩＳ８１は、ストレージデバイスの撮影者情報３０を撮影者割り当て装置８０に送信する。受付部６０は、通信Ｉ／Ｆ４５で受信したＲＩＳ８１からの撮影オーダ２０および撮影者情報３０の技術レベル情報３０ａ、並びにＨＩＳ１１からの診療情報２５ａを受け付け、これらの情報を決定部６１に受け渡す。決定部６１は、受付部６０で受け付けた診療情報２５ａおよび技術レベル情報３０ａに基づき、受付部６０で受け付けた撮影オーダ２０に割り当てる撮影者を決定する。
【００７０】
撮影者割り当て装置８０は、通信Ｉ／Ｆ８２を介して、決定部６１で決定した撮影者の撮影者ＩＤとオーダＩＤをＲＩＳ８１に返送する。ＲＩＳ８１は、撮影者割り当て装置８０からのオーダＩＤで示される撮影オーダ２０をオーダ管理リスト２３から検索し、当該撮影オーダ２０の撮影者ＩＤの項目に、撮影者割り当て装置８０からの撮影者ＩＤを登録する。そして、登録した撮影者ＩＤの撮影者が所有する携帯情報端末１５に決定結果６２を送信する。
【００７１】
上記第１〜第３実施形態では、撮影者割り当て装置の機能を有するＲＩＳ１２に撮影者情報３０を記憶しておく態様を説明し、上記第４実施形態では、撮影者割り当て装置外の記憶装置（ＲＩＳ８１）に撮影者情報３０を記憶しておき、これを撮影者割り当て装置に送信する態様を説明した。このように、撮影者情報３０の記憶先は、撮影者割り当て装置内であってもよいし、撮影者割り当て装置外であってもよい。患者情報２５についても同様である。
【００７２】
なお、撮影者割り当て装置の機能を、ＲＩＳではなくＨＩＳにもたせてもよい。
【００７３】
上記各実施形態では、各撮影者が所有する携帯情報端末１５に撮影オーダ２０を含む決定結果６２を送信し、携帯情報端末１５の表示部１８に決定結果６２を表示させることで、自らが担当する撮影オーダを各撮影者に確認させているが、自らが担当する撮影オーダを各撮影者に確認させる方法はこれに限定されない。撮影オーダ２０そのものを携帯情報端末１５に送信してもよい。また、各撮影者が携帯情報端末１５を所有しておらず、放射線科に端末が１台だけあり、この放射線科の端末で各撮影者が撮影オーダを確認する態様をとる医療施設の場合は、決定部６１で撮影者を決定した後の撮影者ＩＤが登録されたオーダ管理リスト２３を放射線科の端末に送信し、放射線科の端末のディスプレイにオーダ管理リスト２３を表示することで、自らが担当する撮影オーダを各撮影者に確認させてもよい。あるいは、上記第１〜第４実施形態のＲＩＳ１２、７０、８１のディスプレイ、上記第４実施形態の撮影者割り当て装置８０のディスプレイにオーダ管理リスト２３を表示させてもよい。要するに、決定部６１で決定した撮影者を、各撮影者が確認可能に表示できれば、いかなる態様でもよい。
【００７４】
なお、診療情報２５ａおよび技術レベル情報３０ａの項目としては、上記各実施形態で例示したポジショニング、妊娠、乳幼児、および累積被曝線量の他に、造影剤の禁忌の有無（例えば、重篤な甲状腺疾患のある患者に対するヨード造影剤等）やインプラントの有無を加えてもよい。造影剤の禁忌がある場合はその選択に注意を払う必要があり、インプラントがある場合はポジショニングや撮影条件の設定を慎重に行う必要がある。このため、造影剤の禁忌がある場合、およびインプラントがある場合は、標準的ではない放射線撮影に該当するといえる。
【００７５】
診療情報２５ａのポジショニング可否の項目を、立位撮影が可能か否か、腕を曲げた撮影が可能か否か等のさらに細かな項目に分けてもよい。
【００７６】
また、技術レベル情報３０ａとして、上記各実施形態で例示した、標準的ではない放射線撮影の実施回数に加えて、あるいは代えて、標準的ではない放射線撮影の総実施時間を実施回数で除算した平均実施時間を採用してもよい。実施時間は、例えば、ＲＩＳから携帯情報端末に決定結果を送信してから、携帯情報端末からの放射線撮影終了の合図がＲＩＳで受信されるまでの時間とする。この場合、たとえ実施回数が多くても、平均実施時間が長い撮影者は技術レベルが低いと考えられるため、平均実施時間が最も短く、標準的ではない放射線撮影を短時間で終えることができている撮影者を技術レベルが最も高い撮影者と判断し、反対に平均実施時間が最も長い撮影者を技術レベルが最も低い撮影者と判断する。
【００７７】
また、各撮影者の技術レベルを定量的に示す評価点に基づいて、技術レベルの高低を判断してもよい。評価点の例としては、放射線科の管理者や、読影医、診療科の医師による各撮影者の採点、定期的に各撮影者に課す、標準的ではない放射線撮影のテストの採点、患者のアンケートによる各撮影者の採点等が挙げられる。これらの各採点と上記各実施形態の実施回数、および平均実施時間を変数とする適当な計算式で総合的な評価点を算出してもよい。その際、各変数に０以上１以下の重み付け係数を掛け、特に重要視する変数には、１または１に近い重み付け係数を掛ける等してもよい。
【００７８】
このように、上記各実施形態の如く実施回数という単一の技術レベル情報３０ａではなく、複数の技術レベル情報３０ａに基づき技術レベルの高低を判断すれば、より実際の技術レベルに近い判断を下すことができる。なお、複数の技術レベル情報３０ａに基づき技術レベルの高低を判断する場合は、各技術レベル情報３０ａについて、標準的ではない放射線撮影の撮影オーダ２０に割り当てる撮影者の候補をピックアップし、候補としてピックアップされた回数が最も多い撮影者を、最終的に撮影オーダ２０に割り当てる撮影者として決定する。
【００７９】
あるいは、ある技術レベル情報３０ａでピックアップした候補を、他の技術レベル情報３０ａで絞り込んでもよい。例えば、まず実施回数を用い、実施回数と基準値との比較により候補をピックアップし、次に平均実施時間を用い、実施回数を用いてピックアップした候補の平均実施時間と基準値との比較により候補を絞り込む。
【００８０】
以上の説明から分かるように、上記第３実施形態の条件設定部の機能としては、例示した第１、第２条件の切り替えに限らない。決定部６１で撮影オーダ２０に割り当てる撮影者を決定する際の条件を複数用意しておき、条件設定部により複数の条件の設定、非設定を選択可能に構成してもよい。例えば、標準的ではない放射線撮影の撮影オーダ２０に、標準的ではない放射線撮影の実施回数が最も多い撮影者、または実施回数が最も少ない撮影者を割り当てる条件と、平均実施時間が最も短い、または最も長い撮影者を割り当てる条件とを用意し、これらの条件を条件設定部で切り替える。
【００８１】
上記各実施形態では、診療情報２５ａに基づき、患者が標準的な放射線撮影が可能か否かを判断したうえで、技術レベル情報３０ａに基づき、撮影オーダ２０に割り当てる撮影者を決定しているが、本発明はこれに限定されない。例えば、診療情報２５ａに、技術レベルが高い撮影者を特に望むか否かを示す情報を登録しておき、技術レベルが高い撮影者を患者が特に望む場合は、当該患者の撮影オーダ２０に技術レベルが高い撮影者を割り当てる。このように、患者が標準的な放射線撮影が可能か否かに関わらず、技術レベル情報３０ａに基づき、撮影オーダ２０に割り当てる撮影者を決定してもよい。
【００８２】
なお、上記各実施形態で示したとおり、本発明は、プログラムの形態、さらにはプログラムを記憶する記憶媒体にも及ぶ。また、本発明は、上記各実施形態に限らず、本発明の要旨を逸脱しない限り種々の構成を採り得ることはもちろんである。例えば、撮影者は３人に限らず、２人以上であればよい。
【符号の説明】
【００８３】
１０  医療情報ネットワークシステム
１２、７０  ＲＩＳ（撮影者割り当て装置）
２０  撮影オーダ
２５  患者情報
２５ａ  診療情報
３０  撮影者情報
３０ａ  技術レベル情報
４４、７１  ＣＰＵ
５０  撮影者割り当てプログラム
６０  受付部
６１  決定部
７２  条件設定部
８０  撮影者割り当て装置
８３  ＣＰＵ
【図１】
2015171481.tif 000003
【図２】
2015171481.tif 000004
【図３】
2015171481.tif 000005
【図４】
2015171481.tif 000006
【図５】
2015171481.tif 000007
【図６】
2015171481.tif 000008
【図７】
2015171481.tif 000009
【図８】
2015171481.tif 000010
【図９】
2015171481.tif 000011
【図１０】
2015171481.tif 000012
【図１１】
2015171481.tif 000013
【図１２】
2015171481.tif 000014